(57)【要約】    【課題】      位置情報に関連付けられるコンテンツの検索結果の一覧リストを、ユーザが視認し易いように動的に更新することができるコンテンツ表示装置およびコンテンツ表示方法を提供すること。    【解決手段】  本発明は、通信インタフェース部２０２または放送インタフェース部２０１を介しサーバから位置情報と関連づけられたメタデータ集合を取得し、現在位置情報取得部２０８で現在位置情報を取得し、コンテンツ処理部２０３でメタデータ集合から現在位置情報を含む検索条件に合致するコンテンツリストを出力する。そして、本発明は、コンテンツリストに基づき表示リストを生成する際、コンテンツ表示制御部２０４はコンテンツリストと表示リストとを比較し、一致するメタデータは、表示の仕方を変えずに表示リストを生成し、コンテンツ表示制御部２０４が生成した表示リストに基づき検索結果をブラウザ部２０５に表示する。  【選択図】      図２
2006024196.tif 000002
【特許請求の範囲】
【請求項１】
地理上の位置と関連づけられるコンテンツを示すコンテンツ位置情報と前記コンテンツの資源を識別する識別子とを少なくとも含むメタデータの集合を取得するメタデータ取得部と、現在位置情報を取得する現在位置情報取得部と、前記メタデータ取得部が取得したメタデータの集合から、前記現在位置情報取得部で取得した現在位置情報を含む検索条件に合致するメタデータのリストをコンテンツリストとして出力するコンテンツ処理部と、前記コンテンツ処理部が出力したコンテンツリストに基づき表示リストを生成する際、前記コンテンツリストと前記表示リストとを比較し、一致するメタデータは、表示の仕方を変えずに表示リストを生成するコンテンツ表示制御部と、前記コンテンツ表示制御部が生成した表示リストに基づき検索結果を表示する検索結果表示部と、を具備したことを特徴とするコンテンツ表示装置。
【請求項２】
前記コンテンツ表示制御部が生成する表示リストは、前記コンテンツリストと比較して一致しなかったメタデータの表示位置に、新たに追加されたメタデータが挿入されたリストであることを特徴とする請求項１記載のコンテンツ表示装置。
【請求項３】
前記コンテンツ表示制御部は、前記新たに追加されたメタデータに対し、表示を区別するための情報を付加することを特徴とする請求項２記載のコンテンツ表示装置。
【請求項４】
前記コンテンツ処理部は、前記検索条件として地理上の検索領域を設定し、前記検索領域に含まれるメタデータのリストを前記コンテンツリストとして出力することを特徴とする請求項１乃至請求項３のいずれかに記載のコンテンツ表示装置。
【請求項５】
前記表示リストに含まれるメタデータが示す地理上の位置情報に基づく地点を示し、かつ、前記メタデータに含まれる識別子と関連付けて付与される表示符号を重畳した地図を表示する地図表示部を、さらに具備することを特徴とする請求項１乃至請求項４のいずれかに記載のコンテンツ表示装置。
【請求項６】
前記地図表示部は、前記検索領域を前記地図に重畳して表示することを特徴とする請求項５記載のコンテンツ表示装置。
【請求項７】
前記コンテンツ表示制御部は、前記コンテンツリストと比較して一致しなかったメタデータを、前記生成する表示リストの後尾に付加することを特徴とする請求項１乃至請求項６のいずれかに記載のコンテンツ表示装置。
【請求項８】
前記コンテンツ表示制御部は、前記コンテンツリストと比較して一致しなかったメタデータに対し、表示を区別するための情報を付加することを特徴とする請求項１乃至請求項７のいずれかに記載のコンテンツ表示装置。
【請求項９】
前記地図表示部は、前記新たに追加されたメタデータに含まれる識別子と関連付けて付与される表示記号に対し、表示を区別するための情報を付加することを特徴とする請求項５乃至請求項８のいずれかに記載のコンテンツ表示装置。
【請求項１０】
前記地図表示部は、前記コンテンツリストと比較して一致しなかったメタデータに含まれる識別子と関連付けて付与される表示記号に対し、表示を区別するための情報を付加することを特徴とする請求項５乃至請求項９のいずれかに記載のコンテンツ表示装置。
【請求項１１】
前記コンテンツ表示制御部は、前記表示リストの更新を一時停止する機能を有し、前記地図表示部は、前記表示リストの更新が一時停止の状態にある場合は、前記地図への表示符号の重畳表示の更新を一時停止すると共に、現在位置情報の表示更新を継続することを特徴とする請求項５乃至請求項１０のいずれかに記載のコンテンツ表示装置。
【請求項１２】
前記検索結果表示部に、前記表示リストから選択された前記メタデータに含まれる識別子が示すコンテンツを表示している場合、前記地図表示部は、前記検索結果表示部に表示中のコンテンツに対応するコンテンツ位置情報および前記検索領域を、前記地図に重畳して表示すると共に、前記コンテンツ位置情報と前記検索領域との更新および表示を繰り返し継続することを特徴とする請求項５乃至請求項１１のいずれかに記載のコンテンツ表示装置。
【請求項１３】
前記コンテンツ処理部は、前記コンテンツリストに含まれるメタデータの件数が、予め定めた件数となるように前記検索領域のサイズを調整することを特徴とする請求項４乃至請求項１２のいずれかに記載のコンテンツ表示装置。
【請求項１４】
地理上の位置と関連づけられるコンテンツを示すコンテンツ位置情報と前記コンテンツの資源を識別する識別子とを少なくとも含むメタデータの集合を取得するメタデータ取得ステップと、現在位置情報を取得する現在位置情報取得ステップと、前記メタデータ取得ステップで取得したメタデータの集合から、前記現在位置情報取得ステップで取得した現在位置情報を含む検索条件に合致するメタデータのリストをコンテンツリストとして出力するコンテンツ処理ステップと、前記コンテンツ処理ステップで出力したコンテンツリストに基づき表示リストを生成する際、前記コンテンツリストと前記表示リストとを比較し、一致するメタデータは、表示の仕方を変えずに表示リストを生成するコンテンツ表示制御ステップと、前記コンテンツ表示制御ステップで生成した表示リストに基づき検索結果を表示する検索結果表示ステップと、を具備したことを特徴とするコンテンツ表示方法。
【発明の詳細な説明】
【技術分野】
【０００１】
本発明は、地理上の位置と関連づけられるコンテンツに関する情報を表示するコンテンツ表示装置に関するものである。
【背景技術】
【０００２】
近年、ＧＰＳ（Ｇｌｏｂａｌ  Ｐｏｓｉｔｉｏｎｉｎｇ  Ｓｙｓｔｅｍ）機能を持つモバイル端末の普及と共に、ユーザの現在地周辺に関する情報を提供する位置情報サービスに対する需要が高まりつつある。従来からある一般的な位置情報サービスとしては、ＧＰＳ搭載モバイル端末からサーバへ位置情報を通知し、サーバ側においてこのモバイル端末の現在地周辺の情報を検索し、検索結果をモバイル端末へ返信するサービスが知られている。
【０００３】
位置情報サービスを受信し、表示するコンテンツ表示装置における現在地周辺情報の提示方法の従来例としては、特許文献１に示される方法がある。この方法は、移動中のコンテンツ表示装置から情報提供装置へコンテンツ検索条件を送信すると、情報提供装置からコンテンツ表示装置へ指定された検索条件に合致するコンテンツの情報が送信され、コンテンツ表示装置の画面に提示される地図上に、コンテンツの位置を示すアイコンが表示され、ユーザが地図上のアイコンを選択すると、コンテンツの情報が表示されるものである。
【０００４】
また、特許文献２は、カーナビゲーション装置といったコンテンツ表示装置である。このコンテンツ表示装置は、行き先を決定するとき、例えば現在地周辺の施設を検索して、画面上に検索された施設のリストを画面上に表示すると共に、リスト表示された施設がすべて地図上に表示できる地図の縮尺を演算し、その縮尺の地図上に施設の位置を示すマークを表示するものである。
【特許文献１】特開平１０−８９９７６号公報
【特許文献２】特開２００２−２０８０１９号公報
【発明の開示】
【発明が解決しようとする課題】
【０００５】
しかしながら、特許文献１のコンテンツ表示装置は、地図上のアイコン表示だけでは、検索結果の視認性が低いという課題がある。また、特許文献２のコンテンツ表示装置では、検索された施設の一覧リストとその施設の位置を示す地図を同時に表示するが、ユーザが移動しながら定期的に現在地周辺情報を検索する際に、画面上に表示する検索結果を更新する方法については言及していない。
【０００６】
移動中における現在地周辺のコンテンツ検索においては、検索結果の一覧リストをユーザが視認し易いように動的に更新することが望ましい。
【０００７】
本発明は、かかる点に鑑みてなされたものであり、移動中のユーザの現在地周辺に存在するコンテンツに関する情報を検索し、検索結果に関して、コンテンツの一覧リストの表示をユーザが視認し易いように動的に更新することができるコンテンツ表示装置およびコンテンツ表示方法を提供することを目的とする。
【課題を解決するための手段】
【０００８】
本発明のコンテンツ表示装置は、地理上の位置と関連づけられるコンテンツを示すコンテンツ位置情報とコンテンツの資源を識別する識別子とを少なくとも含むメタデータの集合を取得するメタデータ取得部と、現在位置情報を取得する現在位置情報取得部と、メタデータ取得部が取得したメタデータの集合から、現在位置情報取得部で取得した現在位置情報を含む検索条件に合致するメタデータのリストをコンテンツリストとして出力するコンテンツ処理部と、コンテンツ処理部が出力したコンテンツリストに基づき表示リストを生成する際、コンテンツリストと表示リストとを比較し、一致するメタデータは、表示の仕方を変えずに表示リストを生成するコンテンツ表示制御部と、コンテンツ表示制御部が生成した表示リストに基づき検索結果を表示する検索結果表示部とを具備した構成を採る。
【発明の効果】
【０００９】
本発明によれば、移動中のユーザの現在地周辺に存在するコンテンツに関する情報を検索し、検索結果に関して、コンテンツの一覧リストの表示をユーザが視認し易いように動的に更新することができる。
【発明を実施するための最良の形態】
【００１０】
本発明の第１の態様にかかるコンテンツ表示装置は、地理上の位置と関連づけられるコンテンツを示すコンテンツ位置情報とコンテンツの資源を識別する識別子とを少なくとも含むメタデータの集合を取得するメタデータ取得部と、現在位置情報を取得する現在位置情報取得部と、メタデータ取得部が取得したメタデータの集合から、現在位置情報取得部で取得した現在位置情報を含む検索条件に合致するメタデータのリストをコンテンツリストとして出力するコンテンツ処理部と、コンテンツ処理部が出力したコンテンツリストに基づき表示リストを生成する際、コンテンツリストと表示リストとを比較し、一致するメタデータは、表示の仕方を変えずに表示リストを生成するコンテンツ表示制御部と、コンテンツ表示制御部が生成した表示リストに基づき検索結果を表示する検索結果表示部とを具備した構成を採る。
【００１１】
この構成により、定期的にコンテンツの検索処理を実行して、コンテンツの検索結果を記載した表示リストを表示する際に、前回の表示リストにおけるコンテンツ情報の配置を考慮して、前回のコンテンツ検索結果と最新のコンテンツ検索結果との差分部分のみを更新した表示リストを生成する。これにより、動的にコンテンツリストが更新される状況においても、コンテンツ検索結果の視認性が低下せず、ユーザが所望のコンテンツを容易に発見することができる。
【００１２】
本発明の第２の態様は、第１の態様にかかるコンテンツ表示装置において、コンテンツ表示制御部で生成する表示リストが、コンテンツリストと比較して一致しなかったメタデータの表示位置に、新たに追加されたメタデータが挿入されたリストである構成を採る。
【００１３】
この構成により、前回のコンテンツ検索結果から変更ないものは、その表示位置が変動しないようにした。これにより、動的にコンテンツリストが更新される状況においても、コンテンツ検索結果の視認性が低下せず、ユーザが所望のコンテンツを容易に発見することができる。
【００１４】
本発明の第３の態様は、第２の態様にかかるコンテンツ表示装置において、コンテンツ表示制御部が、新たに追加されたメタデータに対し、表示を区別するための情報を付加する構成を採る。
【００１５】
この構成により、表示リスト上において、新たに検索されたコンテンツ情報と、既に検索済みのコンテンツ情報とを明確に区別して表示するので、動的に検索結果リストが更新される状況においても、ユーザは、新たに検索されたコンテンツを容易に検知することができる。
【００１６】
本発明の第４の態様は、第１の態様から第３の態様のいずれかにかかるコンテンツ表示装置において、コンテンツ処理部が、検索条件として地理上の検索領域を設定し、検索領域に含まれるメタデータのリストをコンテンツリストとして出力する構成を採る。
【００１７】
この構成により、検索したい領域を設定でき、その領域に含まれるコンテンツを検索することができるので、例えば、移動中のユーザが現在地周辺に関連するコンテンツを検索し表示することができる。
【００１８】
本発明の第５の態様は、第１の態様から第４の態様のいずれかにかかるコンテンツ表示装置において、表示リストに含まれるメタデータが示す地理上の位置情報に基づく地点を示し、かつ、メタデータに含まれる識別子と関連付けて付与される表示符号を重畳した地図を表示する地図表示部をさらに具備する構成を採る。
【００１９】
この構成により、位置情報を関連付けられるコンテンツを検索する場合に、コンテンツの検索結果を表示リストとして一覧表示すると共に、検索されたコンテンツの位置を地図上に表示するものである。ユーザは、検索されたコンテンツの地理的分布状況を視覚的に確認した上で、実際に視聴するコンテンツを決定することができる。
【００２０】
本発明の第６の態様は、第５の態様にかかるコンテンツ表示装置において、地図表示部が、検索領域を地図に重畳して表示する構成を採る。
【００２１】
この構成により、現在地周辺に関連するコンテンツを検索する際に、地図上にコンテンツの検索領域を表示するものである。ユーザは、ユーザの現在地から検索されたコンテンツまでの距離を視覚的に確認することができる。
【００２２】
本発明の第７の態様は、第１の態様から第６の態様のいずれかにかかるコンテンツ表示装置において、コンテンツ表示制御部が、コンテンツリストと比較して一致しなかったメタデータを、生成する表示リストの後尾に付加する構成を採る。
【００２３】
この構成により、最新のコンテンツ検索結果だけでなく、検索結果リストに過去のコンテンツ検索結果も掲載するものである。ユーザは、検索結果リストの更新状況を把握した上で、過去のコンテンツ検索結果を活用することができる。
【００２４】
本発明の第８の態様は、第１の態様から第７の態様のいずれかにかかるコンテンツ表示装置において、コンテンツ表示制御部が、コンテンツリストと比較して一致しなかったメタデータに対し、表示を区別するための情報を付加する構成を採る。
【００２５】
この構成により、表示リストに、最新のコンテンツ検索結果と共に、過去に検索されたコンテンツ情報も表示する際に、過去に検索されたコンテンツ情報を明確に区別して表示するので、ユーザは、検索結果リストの更新状況を把握した上で、過去のコンテンツ検索結果を活用することができる。
【００２６】
本発明の第９の態様は、第５の態様から第８の態様のいずれかにかかるコンテンツ表示装置において、地図表示部が、新たに追加されたメタデータに含まれる識別子と関連付けて付与される表示記号に対し、表示を区別するための情報を付加する構成を採る。
【００２７】
この構成により、地図上におけるコンテンツの位置表示において、新たに検索されたコンテンツと、既に検索済みのコンテンツとを明確に区別して表示するので、動的に検索結果リストが更新される状況においても、ユーザは、新たに検索されたコンテンツの位置を容易に把握することができる。
【００２８】
本発明の第１０の態様は、第５の態様から第９の態様のいずれかにかかるコンテンツ表示装置において、地図表示部が、コンテンツリストと比較して一致しなかったメタデータに含まれる識別子と関連付けて付与される表示記号に対し、表示を区別するための情報を付加する構成を採る。
【００２９】
この構成により、地図上に、最新のコンテンツ検索結果と共に、過去に検索されたコンテンツの位置も表示する際に、過去に検索されたコンテンツを明確に区別して表示するので、ユーザは、検索結果リストの更新状況を把握した上で、過去のコンテンツ検索結果を活用することができる。
【００３０】
本発明の第１１の態様は、第５の態様から第１０の態様のいずれかにかかるコンテンツ表示装置において、コンテンツ表示制御部が、表示リストの更新を一時停止する機能を有し、地図表示部が、表示リストの更新を一時停止の状態にある場合は、地図への表示符号の重畳表示の更新を一時停止すると共に、現在位置情報の表示更新を継続する構成を採る。
【００３１】
この構成により、ユーザが表示リストを参照する際に、コンテンツリストの更新を一時的に停止し、かつ、地図上においては最新の現在地情報の表示更新を継続するので、ユーザは、検索されたコンテンツとユーザ端末との地理的な位置関係が動的に変化する状況を把握しながら、コンテンツ検索結果から表示するコンテンツを選択することができる。
【００３２】
本発明の第１２の態様は、第５の態様から第１１の態様のいずれかにかかるコンテンツ表示装置において、検索結果表示部に、表示リストから選択されたメタデータに含まれる識別子が示すコンテンツを表示している場合、地図表示部が、検索結果表示部に表示中のコンテンツに対応するコンテンツ位置情報および検索領域を、地図に重畳して表示すると共に、コンテンツ位置情報と検索領域との更新および表示を繰り返し継続する構成を採る。
【００３３】
この構成により、ユーザがコンテンツ検索結果から選択したコンテンツを閲覧中に、地図上においては最新の現在地情報と最新の検索領域の表示更新を継続するので、ユーザは、閲覧中のコンテンツとコンテンツ表示装置との地理的な位置関係が動的に変化する状況を把握しながら、閲覧中のコンテンツに対応する地理的位置までの移動経路などを確認することができる。
【００３４】
本発明の第１３の態様は、第４の態様から第１２の態様のいずれかにかかるコンテンツ表示装置において、コンテンツ処理部が、コンテンツリストに含まれるメタデータの件数が、予め定めた件数となるように検索領域のサイズを調整する構成を採る。
【００３５】
この構成により、コンテンツ検索条件として検索件数が指定された場合に、検索領域のサイズを動的に調整して、指定された検索を満たすコンテンツ検索結果を出力するので、コンテンツ検索時のユーザの負担を軽減することができる。
【００３６】
本発明の第１４の態様は、地理上の位置と関連づけられるコンテンツを示すコンテンツ位置情報と前記コンテンツの資源を識別する識別子とを少なくとも含むメタデータの集合を取得するメタデータ取得ステップと、現在位置情報を取得する現在位置情報取得ステップと、前記メタデータ取得ステップで取得したメタデータの集合から、前記現在位置情報取得ステップで取得した現在位置情報を含む検索条件に合致するメタデータのリストをコンテンツリストとして出力するコンテンツ処理ステップと、前記コンテンツ処理ステップで出力したコンテンツリストに基づき表示リストを生成する際、前記コンテンツリストと前記表示リストとを比較し、一致するメタデータは、表示の仕方を変えずに表示リストを生成するコンテンツ表示制御ステップと、前記コンテンツ表示制御ステップで生成した表示リストに基づき検索結果を表示する検索結果表示ステップと、を具備したことを特徴とするコンテンツ表示方法である。
【００３７】
以下、本発明の実施の形態におけるコンテンツ表示装置について、図面を参照しながら説明する。
【００３８】
図１は、本発明の一実施の形態におけるコンテンツ表示装置を含むコンテンツ適応配信システムの構成図である。本実施の形態にかかるコンテンツ適応配信システム１００は、サーバ１０１、１０２ａ、１０２ｂ、１０３ａ〜１０３ｃがコンテンツ表示装置１０４ａ、１０４ｂ、１０８（以下、端末とも記す）に対して、地理上の位置と関連づけられるコンテンツを示すコンテンツ位置情報と、コンテンツの資源を識別する識別子とを少なくとも含むメタデータである、位置情報を有するコンテンツである位置依存コンテンツに関する広域的な情報と、を提供する。そして、これに対して端末１０４ａ、１０４ｂ、１０８が、提供された情報をもとに位置依存コンテンツの検索および表示を行う。
【００３９】
コンテンツ適応配信システム１００は、コンテンツ放送サーバ１０１と、コンテンツ通信サーバ１０２（１０２a〜１０２ｂ）と、一般Ｗｅｂサーバ１０３（１０３ａ〜１０３ｃ）と、コンテンツ表示装置１０４（１０４ａ〜１０４ｂ）と、通信ネットワーク１０５と、無線基地局１０６と、ＧＰＳ衛星１０７と、固定コンテンツ表示装置１０８とを含む。
【００４０】
コンテンツ放送サーバ１０１は、放送受信機能を有する端末に対して、一般的なデジタル放送を行う。また、コンテンツ放送サーバ１０１は、ある時刻に見られる全ページデータを周期的に繰り返し送出するカルーセル方式のデータ放送によるコンテンツ配信を行うことが可能な放送局である。また、コンテンツ放送サーバ１０１は、通信ネットワーク１０５に接続されている。
【００４１】
コンテンツ通信サーバ１０２は、インターネットプロトコルを利用して、通信機能を有する端末に対して、コンテンツを配信するサーバである。コンテンツ通信サーバ１０２の具体的例としては、インターネット上のＷｅｂサーバ（ＨＴＴＰサーバ）を挙げることができる。また、一般Ｗｅｂサーバ１０３は、コンテンツ通信サーバ１０２と同様にインターネットプロトコルを利用して、端末にコンテンツを提供するサーバである。
【００４２】
コンテンツ表示装置１０４は、コンテンツ放送サーバ１０１からのデジタル放送を受信する機能と、通信ネットワーク１０５に無線基地局１０６を介してアクセスする機能と、ＧＰＳ衛星からの信号受信等により位置情報を取得する機能と、を有する移動可能なクライアント端末である。コンテンツ表示装置１０４は、放送あるいは通信により、コンテンツ放送サーバ１０１およびコンテンツ通信サーバ１０２、一般Ｗｅｂサーバ１０３からコンテンツを受信する。コンテンツ表示装置１０４は、ＰＤＡ（Ｐｅｒｓｏｎａｌ  Ｄｉｇｉｔａｌ  Ａｓｓｉｓｔａｎｔ）や携帯電話、あるいは、カーナビゲーションシステムなどの任意の端末で実現可能である。
【００４３】
通信ネットワーク１０５は、無線基地局１０６を介し、サーバ（コンテンツ放送サーバ１０１、コンテンツ通信サーバ１０２、一般Ｗｅｂサーバ１０３）とコンテンツ表示装置１０４との間で相互通信可能なネットワークである。通信ネットワーク１０５は、具体的には、インターネットやＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、無線ネットワーク、あるいは、それらが複合したネットワークなど任意のネットワークである。無線基地局１０６は、通信ネットワーク１０５と移動型のコンテンツ表示装置１０４との間の通信を中継する。
【００４４】
ＧＰＳ衛星１０７は、船舶や飛行機、自動車などのナビゲーション（測位）に利用される衛星である。移動型のコンテンツ表示装置１０４は、複数個のＧＰＳ衛星１０７からの電波を受信して、端末の現在地の緯度・経度座標値を算出する。さらに、固定コンテンツ表示装置１０８は、通信ネットワーク１０５を介し、各種サーバからのコンテンツを表示する位置が固定のコンテンツ表示装置である。
【００４５】
次に、コンテンツ適応配信システム１００において、送受信されるデータについて説明する。コンテンツ適応配信システム１００では、インターネット上に存在する一般的な任意のコンテンツを送受信することが可能であるが、特に、位置依存コンテンツとコンテンツ情報、および、リストコンテンツの送受信を行う。ここで、位置依存コンテンツとは、緯度・経度座標値に対応付けられる店舗や施設などに関する内容が記載されたコンテンツである。
【００４６】
コンテンツ情報は、位置依存コンテンツのメタデータであり、少なくとも、コンテンツ実体の地理上の位置情報とネットワーク位置情報が含まれるものとする。ここで、地理的位置情報とは、位置依存コンテンツに関連付けられる地理上の位置情報（緯度・経度座標）である。ネットワーク位置情報とは、位置依存コンテンツの資源を識別する識別子であるＵＲＬ（Ｕｎｉｆｏｒｍ  Ｒｅｓｏｕｒｃｅ  Ｌｏｃａｔｏｒ）（もしくはＵＲＩ（Ｕｎｉｆｏｒｍ  Ｒｅｓｏｕｒｃｅ  Ｉｄｅｎｔｉｆｉｅｒ））である。
【００４７】
これらのほかに、コンテンツ情報には、コンテンツのタイトルやカテゴリ、概要を記述したテキスト、連絡先、更新日時などが含まれる。また、リストコンテンツは、位置依存コンテンツが分布する地理上の空間をメッシュ分割し、各メッシュに含まれる位置依存コンテンツのコンテンツ情報を列挙したデータである。
【００４８】
本実施の形態においては、コンテンツ放送サーバ１０１、もしくは、コンテンツ通信サーバ１０２が、コンテンツ表示装置１０４に対してリストコンテンツを配信し、一般Ｗｅｂサーバ１０３が、コンテンツ表示装置１０４に対して位置依存コンテンツを配信する。一方、コンテンツ表示装置１０４は、サーバから受信したリストコンテンツからある特定の地理上の領域内に含まれるコンテンツ情報を検索し、これを表示してユーザに提示する。
【００４９】
これ以降、位置依存コンテンツの分布領域に含まれる特定地点を、関心地点ＰＯＩ（Ｐｏｉｎｔ  Ｏｆ  Ｉｎｔｅｒｅｓｔ）と呼び、ＰＯＩを含むＰＯＩ周辺に限定した地理上の領域を、関心領域ＲＯＩ（Ｒｅｇｉｏｎ  Ｏｆ  Ｉｎｔｅｒｅｓｔ）と呼ぶ。本実施の形態においては、コンテンツ表示装置１０４の現在地をＰＯＩとし、ＰＯＩを中心とする円領域を関心領域ＲＯＩとする。なお、関心領域ＲＯＩは、ＰＯＩを中心とする円領域に限定することなく、ＰＯＩと関連する任意の形状の領域と設定してもよい。
【００５０】
次に、本実施の形態のコンテンツ表示装置１０４について、図２のブロック図を用いて詳細な説明を行う。コンテンツ表示装置１０４は、ＧＰＳ等によって取得した位置情報とリストコンテンツを利用することによって、コンテンツ表示装置１０４の現在地周辺に関連するＷｅｂコンテンツを効率的に視聴することが可能なクライアント端末である。
【００５１】
放送インタフェース部２０１は、コンテンツ放送サーバ１０１から送信された地上デジタル放送などを受信するためのデータ受信手段であり、カルーセル方式のデータ放送によって配信される、リストコンテンツやその他のコンテンツを受信することができる。
【００５２】
通信インタフェース部２０２は、無線基地局１０６および通信ネットワーク１０５を介してコンテンツ放送サーバ１０１、コンテンツ通信サーバ１０２、一般Ｗｅｂサーバ１０３の任意のサーバと双方向通信を行うためのデータ送受信手段である。本実施の形態において、通信インタフェース部２０２は、インターネットプロトコル、特に、ＨＴＴＰ（Ｈｙｐｅｒｔｅｘｔ  Ｔｒａｎｓｆｅｒ  Ｐｒｏｔｏｃｏｌ）によって、サーバよりコンテンツを取得するために使用される。
【００５３】
コンテンツ処理部２０３は、制御部２０７からの指示に従って、放送インタフェース部２０１もしくは通信インタフェース部２０２からデータを取得し、ＨＴＴＰプロキシ処理、もしくは、リストコンテンツに対するコンテンツ検索処理を実行する。また、コンテンツ処理部２０３において処理されたデータは、コンテンツ表示制御部２０４に出力される。
【００５４】
コンテンツ表示制御部２０４は、コンテンツ処理部２０３から取得したデータをブラウザ部２０５で表示可能なフォーマットに変換する。例えば、ブラウザ部２０５がＸＨＴＭＬ（Ｅｘｔｅｎｓｉｂｌｅ  Ｈｙｐｅｒｔｅｘｔ  Ｍａｒｋｕｐ  Ｌａｎｇｕａｇｅ）ブラウザである場合は、ＸＳＬＴ（Ｅｘｔｅｎｓｉｂｌｅ  Ｓｔｙｌｅｓｈｅｅｔ  Ｌａｎｇｕａｇｅ  Ｔｒａｎｓｆｏｒｍａｔｉｏｎｓ）などを利用してＸＨＴＭＬコンテンツを生成し、そのＨＴＭＬコンテンツをブラウザ部２０５に出力する。
【００５５】
ブラウザ部２０５は、コンテンツ表示制御部２０４から取得したコンテンツを表示する手段であり、一般的なＷｅｂブラウザ（ＸＨＴＭＬブラウザ）と同等の機能を持つ。ブラウザ部２０５は、制御部２０７を介してコンテンツ処理部２０３に対してコンテンツ配信に関わるメッセージ（ＨＴＴＰメッセージ）を出力し、その応答としてＨＴＭＬコンテンツを受信する。
【００５６】
なお、コンテンツ適応配信システム１００が、ＨＴＭＬ以外のマークアップ言語で記述されたコンテンツを配信対象とする場合には、ブラウザ部２０５は、それらのマークアップ言語で記述されたコンテンツを表示する機能を持つものとする。
【００５７】
蓄積部２０６は、コンテンツ処理部２０３が処理中のコンテンツを一時蓄積するために使用されるデータ記憶手段であり、メモリやハードディスクから構成されるものである。また、蓄積部２０６は、ブラウザ部２０５が表示したコンテンツをキャッシュする機能も持つ。
【００５８】
制御部２０７は、コンテンツ表示装置１０４の全体制御を行う。制御部２０７の主な機能は、位置情報取得部２０８から取得した位置情報をコンテンツ処理部２０３へ通知することである。また、制御部２０７は、コンテンツ処理部２０３やコンテンツ表示制御部２０４、ブラウザ部２０５に対して、コンテンツ取得やコンテンツ表示を指示する。
【００５９】
位置情報取得部２０８は、ＧＰＳなどによって地理的な位置情報（緯度・経度座標値）を取得し、取得した位置情報を制御部２０７へ出力する。この位置情報は、コンテンツ表示装置１０４の現在地を示すものである。位置情報取得部２０８が出力する位置情報を関心地点位置情報と呼ぶ。
【００６０】
地図処理部２０９は、例えば、地図描画、地図の表示エリア変更・拡大・縮小、地図検索などの一般的な地図表示アプリケーションが有する機能を持つものである。この地図処理部２０９は、コンテンツ表示装置１０４の現在地を表示する、あるいは、ユーザが任意の場所（例：目的地）を検索するために使用される。また、地図処理部２０９は、地図上の特定地点の位置情報（＝関心地点位置情報）を制御部２０７に出力することも可能である。
【００６１】
ＧＵＩ部２１０は、コンテンツ視聴や地図表示、地図検索に関わるユーザからの指示を取得する機能や、コンテンツ放送サーバ１０１から受信するコンテンツを選択する機能（受信チャネル選択など）、コンテンツ通信サーバ１０２や一般Ｗｅｂサーバ１０３から取得するコンテンツのアドレスを指定する機能、コンテンツ放送サーバ１０１から受信したリストコンテンツに含まれる情報をユーザに提示する機能、ユーザからの各種情報入力を受け付ける機能などを備えたＧＵＩ（Ｇｒａｐｈｉｃａｌ  Ｕｓｅｒ  Ｉｎｔｅｒｆａｃｅ）である。
【００６２】
次に、本実施の形態のコンテンツ適応配信システム１００において、コンテンツ表示装置１０４に提供されるサービスの概要を説明する。
【００６３】
図３は、本実施の形態のコンテンツ表示装置における位置依存コンテンツが分布する地理的な空間、すなわち、コンテンツ分布領域を示した図である。図３のコンテンツ分布領域３００は、ｘ軸方向に４分割、ｙ軸方向に３分割と矩形メッシュ状のエリアに分割されている。また、図３のｘ軸方向およびｙ軸方向に０から始まる番号を振り、個々のエリアをｘｙ座標値で表すこととする。例えば、x座標＝２、ｙ座標＝１の矩形メッシュをエリア（２，１）と記載する。
【００６４】
個々のエリアの内部には、店舗や施設などが分布している。例えば、図３のエリア（０，２）に属する店舗Ａの一般Ｗｅｂサーバ１０３は、その店舗が扱う商品に関する情報を掲載した位置依存コンテンツを有する。そして、店舗Ａに関連する位置依存コンテンツは、ネットワーク位置情報（ＵＲＬ）を有し、店舗Ａが存在する地点の緯度・経度座標値を地理的位置情報に対応付けられる。
【００６５】
次に、図３を参照しながら、コンテンツ表示装置１０４におけるコンテンツ表示の概要を説明する。図３において、コンテンツ表示装置１０４は、地点３０１Ｐから地点３０２Ｐを経由して地点３０３Ｐまで移動し、移動中にコンテンツ表示装置１０４のユーザが、現在地周辺に関する情報を探す場合について説明する。図３において、それぞれの地点３０１Ｐ、３０２Ｐ、３０３Ｐを中心として設定されている円領域３０１Ｒ、３０２Ｒ、３０３Ｒは、関心領域ＲＯＩである。この関心領域ＲＯＩは、位置依存コンテンツの探索範囲を規定するものである。
【００６６】
コンテンツ表示装置１０４は、図３に示す経路を移動中にリストコンテンツを受信し、そのリストコンテンツからコンテンツ表示装置１０４の現在地を中心とする関心領域ＲＯＩ内に含まれる位置依存コンテンツを検索する。例えば、コンテンツ表示装置１０４が、地点３０１Ｐに存在するとき、関心領域３０１Ｒの中には、店舗Ａと店舗Ｂが存在するので、コンテンツ検索処理の結果として、店舗Ａおよび店舗Ｂのコンテンツ情報が出力される。
【００６７】
そして、コンテンツ表示装置１０４が地点３０２Ｐに移動すると、コンテンツ検索結果は、店舗Ｃおよび店舗Ｄの情報のみを含むものに更新される。さらに、コンテンツ表示装置１０４が地点３０３Ｐに移動すると、コンテンツ検索結果は、店舗Ｅ、店舗Ｆおよび店舗Ｇの情報のみを含むものに更新される。
【００６８】
図４は、本実施の形態におけるコンテンツ表示装置１０４のブラウザ部２０５に表示されるコンテンツ検索結果の一例を示した図である。検索結果リスト４０１、４０２、４０３は、コンテンツ表示装置１０４が地点３０１Ｐ、３０２Ｐ、３０３Ｐに位置する場合に対応するものである。ユーザが、ブラウザ部２０５に表示された検索結果リストから視聴を希望するコンテンツを選択すると、コンテンツ表示装置１０４は、選択されたコンテンツに対応する一般Ｗｅｂサーバ１０３にアクセスし、ブラウザ部２０５に位置依存コンテンツを表示する。
【００６９】
このように、コンテンツ表示装置１０４が、リストコンテンツに対して検索処理を実行し、位置移動と共に、ユーザに提示するコンテンツ検索結果リストを逐次更新することによって、効率的に位置依存コンテンツを検索することができる。
【００７０】
次に、本実施の形態にかかるコンテンツのフォーマットについて説明する。
【００７１】
まず、本実施の形態における位置依存コンテンツのコンテンツ情報について図５を用いて説明する。図５は、本実施の形態におけるコンテンツ情報の一例を示す図である。
【００７２】
位置依存コンテンツのメタデータであるコンテンツ情報は、ＸＭＬ（Ｅｘｔｅｎｓｉｂｌｅ  Ｍａｒｋｕｐ  Ｌａｎｇｕａｇｅ）準拠の記述言語によって記述される。本実施の形態においては、ＣｏｎｅｎｔＩｎｆｏという架空の名前空間を定義して、コンテンツ情報を記述する。なお、本実施の形態において提示する全てのＸＭＬによる記述例は、ＸＭＬ宣言、名前空間の宣言などが省略されている不完全なＸＭＬ文書である。
【００７３】
図５のコンテンツ情報５００には、ＣｏｎｔｅｎｔＩｎｆｏ要素の開始タグであるＸＭＬ文５０１と終了タグであるＸＭＬ文５０９との間に、位置依存コンテンツに関する数種類の情報が記載されている。ＸＭＬ文５０２は、コンテンツの内容を記述している言語を示すＬａｎｇｕａｇｅ要素である。
【００７４】
ＸＭＬ文５０３は、コンテンツのタイトルやカテゴリ、検索時に使用されるキーワードである。ＸＭＬ文５０４は、コンテンツの作成日、有効期間、更新日を示す情報をまとめたＤａｔｅ要素である。ＸＭＬ文５０５は、コンテンツの位置情報を記述したＬｏｃａｔｉｏｎ要素である。Ｌｏｃａｔｉｏｎ要素は、子要素として、Ｃｏｏｒｄｉｎａｔｅ要素（緯度・経度座標値）とＡｄｄｒｅｓｓ要素（住所）とＺｉｐＣｏｄｅ要素（郵便番号）とを持つ。このうち、地理的位置情報に相当するものは、Ｃｏｏｒｄｉｎａｔｅ要素である。
【００７５】
ＸＭＬ文５０６は、コンテンツに関連する連絡先（電話番号および電子メールアドレス）を記述するＣｏｎｔａｃｔＡｄｄｒｅｓｓ要素である。ＸＭＬ文５０７は、コンテンツの参照先をＵＲＬによって記述するＲｅｆｅｒｅｎｃｅ要素であり、これはネットワーク位置情報に相当する。ＸＭＬ文５０８は、コンテンツの概要をテキストで記述するＡｂｓｔｒａｃｔ要素である。
【００７６】
図６は、本発明の一実施の形態における簡易的なコンテンツ情報の一例を示す図である。コンテンツ情報６００は、子要素として、Ｔｉｔｌｅ要素、Ｃａｔｅｇｏｒｙ要素、地理的位置情報としてのＣｏｏｒｄｉｎａｔｅ要素、ネットワーク位置情報としてのＲｅｆｅｒｅｎｃｅ要素、そして、Ｍｅｔａｄａｔａ要素を含む。ここで、Ｍｅｔａｄａｔａ要素とは、Ｒｅｆｅｒｅｎｃｅ要素に記述されたコンテンツのメタデータの所在を示すＵＲＩを記述する要素である。
【００７７】
次に、図７を参照しながら、リストコンテンツについて説明する。図７は、本発明の一実施の形態のコンテンツ表示装置におけるリストコンテンツの一例を示す図である。
【００７８】
図７のリストコンテンツ７００は、ＬｉｓｔＣｏｎｔｅｎｔ要素の開始タグであるＸＭＬ文７０１と終了タグであるＸＭＬ文７０２によって囲まれており、その中にＭｅｓｈＡｒｅａ要素であるＸＭＬ文７０３ａ〜７０３ｃが列挙されている。このＸＭＬ文７０３ａ〜７０３ｃは、位置依存コンテンツの地理的分布領域に設定した矩形メッシュエリアに相当する。
【００７９】
図７の例においては、ＭｅｓｈＡｒｅａ要素は、矩形メッシュの左上の頂点を示す緯度・経度座標値と、メッシュの一辺の長さを記述する属性を持つ。そして、各ＭｅｓｈＡｒｅａ要素の中には、そのメッシュエリア要素が規定する地理的領域内に含まれる位置依存コンテンツのコンテンツ情報がＣｏｎｔｅｎｔＩｎｆｏ要素７０４によって記述される。このＣｏｎｔｅｎｔＩｎｆｏ要素７０４は、図５や図６で示したコンテンツ情報である。
【００８０】
引き続いて、図７で提示したリストコンテンツ７００に対するコンテンツ検索処理を説明する。コンテンツ表示装置１０４は、リストコンテンツから関心領域ＲＯＩに含まれるコンテンツ情報を抽出し、これを周辺情報検索結果としてユーザに提示する。より具体的には、コンテンツ表示装置１０４は、（１）関心領域ＲＯＩの設定、（２）関心領域ＲＯＩに含まれる位置依存コンテンツのコンテンツ情報の検索、（３）検索されたコンテンツ情報の表示、（４）ユーザが選択したコンテンツ情報に対応する位置依存コンテンツの取得・表示、という一連の処理を繰り返す。
【００８１】
図８は、本発明の一実施の形態におけるコンテンツ表示装置についてコンテンツ検索処理の結果として出力されるコンテンツの一例を示す図である。この出力コンテンツ８００は、コンテンツ表示制御部２０４において整形され、ブラウザ部２０５に表示される。
【００８２】
本実施の形態のコンテンツ表示装置１０４におけるコンテンツ検索処理について図９を用いて説明する。図９は、本発明の一実施の形態におけるコンテンツ表示装置のコンテンツ検索処理手順を示す流れ図である。
【００８３】
コンテンツ表示装置１０４は、コンテンツ処理部２０３において、放送インタフェース部２０１もしくは通信インタフェース部２０２を介して、コンテンツ放送サーバ１０１、もしくは、コンテンツ通信サーバ１０２からリストコンテンツを受信する（Ｓ９０１）。次に、コンテンツ表示装置１０４は、ＧＵＩ部２１０を介してユーザが設定した検索条件を取得する（Ｓ９０２）。次に、コンテンツ表示装置１０４は、位置情報取得部２０８において現在地の位置情報を取得する（Ｓ９０３）。次に、コンテンツ処理部２０３は、Ｓ９０２およびＳ９０３において取得した情報を検索条件として、リストコンテンツに対するコンテンツ検索処理を実行する（Ｓ９０４）。
【００８４】
このコンテンツ検索処理によって出力されるコンテンツは、図８に示すようなコンテンツ情報が列挙されたデータである。次に、コンテンツ表示装置１０４は、コンテンツ処理部２０３において、コンテンツ検索処理結果に対する解析処理を行い、地図処理部２１０が表示する地図上に、検索された位置依存コンテンツの位置を示すアイコンを表示する。また、これと同時に、コンテンツ表示制御部２０４が、コンテンツ検索処理結果を整形して、ブラウザ部２０５にコンテンツ検索処理結果リストを表示する（Ｓ９０５）。
【００８５】
ユーザがコンテンツ検索処理結果から一つのコンテンツを選択した場合（Ｓ９０６のＹＥＳ）、すなわち、コンテンツの表示指示がある場合には、制御部２０７の指示により、選択されたコンテンツ情報に対応する位置依存コンテンツをコンテンツ処理部２０３において取得し、コンテンツ表示制御部２０４での変換処理を経てブラウザ部２０５で表示を行う（Ｓ９０７）。一方、コンテンツの表示指示がない場合には（Ｓ９０６のＮＯ）、コンテンツ処理部２０３は、Ｓ９０２に戻り、一連のコンテンツ検索処理を繰り返す。そして、制御部２０７は、Ｓ９０７の後、処理終了判定を行う（Ｓ９０８）。
【００８６】
すなわち、コンテンツ検索処理を終了する指示がない限り、コンテンツ処理部２０３は、Ｓ９０２へ戻り、一連のコンテンツ検索処理を継続する（Ｓ９０８のＮＯ）。コンテンツ検索処理を終了する指示があれば、コンテンツ処理部２０３は、コンテンツ検索処理を終了する（Ｓ９０８のＹＥＳ）。
【００８７】
次に、図１０〜図１９を参照しながら、本発明の一実施の形態のコンテンツ表示装置１０４における位置依存コンテンツの検索のためのＧＵＩについて説明する。
【００８８】
図１０は、本実施の形態のコンテンツ表示装置１０４におけるＧＵＩ画面の一例を示す図である。このＧＵＩ画面１０００は、左側の地図表示部１００１と右側の検索条件設定部１００２とから構成される。地図表示部１００１には、コンテンツ表示装置１０４の現在地である地点１０１０を含む、現在地周辺の地図が表示される。検索条件設定部１００２は、コンテンツ検索の条件設定を行うＧＵＩである。このＧＵＩ画面１０００の表示処理には、主として、図２のブラウザ部２０５、地図処理部２０９、ＧＵＩ部２１０が関与する。
【００８９】
図１０の検索条件設定部１００２には、半径設定欄１００３、件数設定欄１００４、カテゴリ設定欄１００５、表示形式設定欄１００６がある。半径設定欄１００３は、コンテンツの検索範囲である関心領域ＲＯＩの半径を入力する欄であり、件数設定欄１００４は、コンテンツの検索件数を入力する欄である。また、カテゴリ設定欄１００５は、検索するコンテンツのカテゴリを入力する欄であり、表示形式設定欄１００６は、コンテンツの検索結果の表示形式を指定する欄である。
【００９０】
なお、図中には提示していないが、ＧＵＩ画面１０００は、入力欄１００３〜１００６へのデータ入力用のＧＵＩを表示可能であるものとする。例えば、関心領域ＲＯＩの半径やコンテンツ検索件数の設定のためには、ＧＵＩ画面１０００に、数値指定用のタッチキーを表示し、カテゴリや検索結果の表示形式は、一覧リストからの選択パネルが表示される。また、ＧＵＩ画面１０００は、検索条件設定用のＧＵＩである各種ボタン１００７〜１００９を備える。移動ボタン１００７は、カーソル移動用のボタンであり、決定ボタン１００８は入力データ決定用のボタンであり、戻りボタン１００９は前画面に戻るためのボタンである。
【００９１】
図１１は、本実施の形態のコンテンツ表示装置１０４におけるＧＵＩ画面の一例を示す図であり、検索条件設定部１００２にコンテンツの検索条件を設定した状況を示している。この例では、関心領域ＲＯＩ１１０１の半径を２００メートルとし、コンテンツの検索件数、および、カテゴリを未指定とし、コンテンツ検索処理結果の表示方法を「リスト自動更新」としている。このように関心領域ＲＯＩ１１０１を設定することにより、移動中のユーザが現在地周辺に関連するコンテンツを検索することができる。
【００９２】
また、本実施の形態においては、コンテンツ検索処理結果の表示形式を「リスト自動更新」と「リスト固定」の２種類とする。「リスト自動更新」とは、コンテンツ表示装置１０４の位置移動と共に、定期的にコンテンツ検索処理を実行し、ＧＵＩ画面１０００に表示するコンテンツ検索処理結果を自動的に更新するモードである。一方、「リスト固定」とは、最新のコンテンツ検索処理結果を保持した状態で、新たなコンテンツ検索処理を実行しないモードである。ユーザは、図１１のようにコンテンツの検索条件の設定が終わったら、決定ボタン１００８をクリックする。
【００９３】
図１２は、本実施の形態のコンテンツ表示装置１０４におけるコンテンツ検索処理結果の表示例を示す図である。ＧＵＩ画面１０００の左側は地図表示部１００１であり、右側は検索結果表示部１２０１となっている。地図表示部１００１には、コンテンツ表示装置１０４の現在位置である地点１２０２と、指定された半径を持つ関心領域ＲＯＩ１２０３が重畳されて表示されている。これにより、地図に現在地周辺に関連するコンテンツを検索する際に、地図上にコンテンツの検索領域を表示するので、ユーザは、ユーザの現在地から検索されたコンテンツまでの距離を視覚的に確認することができる。また、検索結果表示部１２０１には、表示形式変更ボタン１２０４とコンテンツ情報一覧リスト１２０５が表示される。
【００９４】
表示形式変更ボタン１２０４は、コンテンツ検索処理結果の表示形式を変更するトグルボタンである。ユーザが表示形式変更ボタン１２０４をクリックすることによって、表示形式モードが「リスト自動更新」と「リスト固定」とのいずれかに設定される。コンテンツ情報一覧リスト１２０５には、検索条件設定部１００２で設定されたコンテンツの検索条件に従って、リストコンテンツから抽出したコンテンツ情報のタイトルが表示される。
【００９５】
これと同時に地図表示部１００１には、コンテンツ情報に対応する位置依存コンテンツの地理的位置を示すアイコン（図１２においては、丸印で囲った番号）が表示される。また、図１２に示すように、地図表示部１００１とコンテンツ情報一覧リスト１２０５に表示される情報は、番号、もしくは、他の記号によって対応付けられる。この例では、関心領域ＲＯＩ１２０３の中には、レストランＡ、コンビニエンスストアＣ、ガソリンスタンドＤ、駐車場Ｅが存在している。なお、図１２の状態で、戻りボタン１００９をクリックすると図１１の検索条件設定画面へと戻ることができる。
【００９６】
このように、位置依存コンテンツの検索結果を表示リストとして一覧表示すると共に、検索された位置依存コンテンツの位置を地図上に表示するので、ユーザは、検索されたコンテンツの地理的分布状況を視覚的に確認した上で、実際に視聴するコンテンツを決定することができる。
【００９７】
また、地図表示部１００１に表示中の地図と比較して、関心領域ＲＯＩ１２０３が大きすぎる場合は、地図の縮尺を変更することによって、変更された縮尺の地図中に関心領域ＲＯＩ１２０３が表示されるものとする。同様に、地図表示部１００１に表示中の地図と比較して、関心領域ＲＯＩ１２０３が小さすぎる場合も、地図の縮尺を変更することによって、地図上で適切な大きさで関心領域ＲＯＩ１２０３が表示されるものとする。
【００９８】
図１３は、本実施の形態のコンテンツ表示装置１０４において、コンテンツ表示装置１０４が移動して、改めて現在地周辺のコンテンツを検索したときのＧＵＩ画面の一例を示した図である。この例では、コンテンツ表示装置１０４の現在位置が地点１３０１に移動し、その結果として、関心領域ＲＯＩ１３０２内に含まれる位置依存コンテンツが異なっている。
【００９９】
具体的には、ガソリンスタンドＤが関心領域ＲＯＩ１３０２の外側に出て、新たにコンビニエンスストアＧが関心領域ＲＯＩ１３０２の中に入っている。コンテンツ情報一覧リスト１２０５においては、前回の検索結果（図１２）と今回の検索結果で共通している、レストランＡ、コンビニエンスストアＣ、駐車場Ｅについては、番号および一覧リスト中の表示位置を同じとしている。また、３番目のガソリンスタンドＤをコンビニエンスストアＧに入れ替え、リストの５番目にガソリンスタンドＤを移動している。
【０１００】
このように、地図表示部１００１およびコンテンツ情報一覧リストには、最新の関心領域ＲＯＩ１３０２に含まれるコンテンツ情報を表示すると共に、コンテンツ検索の履歴も保存しておき、これまでに検出されたコンテンツ情報を併せて表示する。
【０１０１】
また、地図表示部１００１およびコンテンツ情報一覧リスト１２０５において、最新のコンテンツ情報と過去のコンテンツ情報とを明確に区別するために、コンテンツ情報に割り付ける番号もしくは記号により区別する。図１２の例では、最新のコンテンツ情報には丸印で囲まれた番号を付与し、過去のコンテンツ情報には四角印で囲まれた番号１３０４を付与している。
【０１０２】
このように、過去に検索されたコンテンツ情報を明確に区別して表示するので、ユーザは、検索結果リストの更新状況を把握した上で、過去のコンテンツ検索結果を活用することができる。
【０１０３】
さらに、以前の検索結果には含まれない、新たに検索されたコンテンツ情報に関しては、特別な印を表示して目立つようにする。図１３の例では、新たに検出されたコンビニエンスストアＧに関して、コンテンツ情報一覧リスト１２０５では星印１３０３を付け、コンテンツ地図表示部１００１では、位置依存コンテンツを示す番号を二重丸で囲っている。
【０１０４】
コンテンツ情報一覧リスト１２０５を表示方法について補足する。本実施の形態におけるコンテンツ情報一覧リストの更新ルールは、（１）前回および最新の検索結果の両方に含まれるコンテンツ情報に関しては、一覧リスト中の表示位置を変えずに表示する、（２）前回の検索結果には含まれるが、最新の検索結果には含まれないコンテンツ情報は一覧リストから削除し、その表示行を空欄とする、（３）前回の検索結果には含まれないが、最新の検索結果に含まれるコンテンツ情報を一覧リストの空欄部分に挿入し、空欄部分が無い場合は一覧リストの下位に列挙する、（４）過去の検索結果には含まれるが、最新の検索結果には含まれないコンテンツ情報を一覧リストの最下位（後尾）に付加する、とする。
【０１０５】
このように、地図表示部１００１およびコンテンツ情報一覧リスト１２０５において、最新の関心領域ＲＯＩ内に含まれるコンテンツ情報と過去に検索されたコンテンツ情報とを明確に区別し、かつ、同時に表示することによって、コンテンツ検索結果が視認し易くなり、コンテンツ検索手段の利便性が向上している。また、最新のコンテンツ検索結果だけでなく、検索結果リストに過去のコンテンツ検索結果も掲載するので、ユーザは、検索結果リストの更新状況を把握した上で、過去のコンテンツ検索結果を活用することができる。
【０１０６】
ユーザは、図１３のようなコンテンツ検索結果を参照して、所望のコンテンツを発見したら、表示形式変更ボタン１２０４をクリックする。すると、ＧＵＩ画面１０００は図１４のように更新され、表示形式変更ボタン１２０４に表示される表示形式モードが「リスト固定」になり、カーソル移動ボタン１００７を利用して、コンテンツ情報一覧リスト１２０５から一つのコンテンツ情報を選択できるようになる。
【０１０７】
また、地図表示部１００１上に表示されている位置依存コンテンツの位置を示すアイコンと、コンテンツ情報一覧リスト１２０５に表示されているコンテンツ情報が対応付けられており、地図上のアイコンをクリックすることによってもコンテンツ情報を選択できるものとする。
【０１０８】
図１５は、本実施の形態のコンテンツ表示装置１０４において、ユーザがカーソル移動ボタン１００７を利用して、コンテンツ情報リスト１２０５から４番目の駐車場Ｅ１５０２を選択した状況を示した図である。「リスト固定」モードになると、コンテンツ表示装置１０４が移動しても、コンテンツ情報一覧リストは自動更新されない。地図表示画面１００１には、「リスト固定」モードに移行したときに固定された関心領域ＲＯＩ１３０２が表示され、これと同時に、移動中のコンテンツ表示装置１０４の現在地１５０１も表示される。
【０１０９】
このように、ユーザが表示リストを参照する際に、コンテンツリストの更新を一時的に停止し、かつ、地図上においては最新の現在地情報の表示更新を継続することができる。これにより、ある固定的な位置におけるコンテンツ検索結果の表示と共に、最新の端末位置情報を表示することによって、所望の位置依存コンテンツとコンテンツ表示装置との間の地理的位置関係の把握が容易になる。また、図１５において、ユーザがカーソル移動ボタン１００７によって選択したコンテンツ情報の番号１５０２に対応する地図表示部１００１に提示されているアイコンの表示色を変える、あるいは、アイコンを点滅させても良い。
【０１１０】
このようにすると、選択されたコンテンツ情報に対応するアイコンの視認性が向上する。また、コンテンツ情報リスト１２０５から選択したコンテンツの位置が、地図表示部１００１に表示中の地図の外部に存在する場合は、選択されたコンテンツが表示されるように、地図表示部１００１の地図が再描画されるものとする。
【０１１１】
図１５の画面表示の状態で、ユーザが表示形式変更ボタン１２０４もしくは戻りボタン１００９をクリックすると、図１３の状態に戻り、コンテンツ表示装置１０４の位置移動と共に定期的に現在地周辺のコンテンツ検索が実行される。また、ユーザが、決定ボタン１００８をクリックすると、ＧＵＩ画面は図１６の状態に遷移する。
【０１１２】
図１６は、本実施の形態のコンテンツ表示装置１０４におけるＧＵＩ画面の表示例を示す図である。図１６において、ＧＵＩ画面１０００は、概要情報表示部１６０２を有する。この概要情報表示部１６０２には、ブラウザに表示可能な形式に変換された、コンテンツ情報が表示される。この例では、リストコンテンツには、コンテンツの名称と住所と電話番号と位置依存コンテンツのネットワーク位置情報（ＵＲＩ）、コンテンツの概要情報（図１６では料金情報）を有するコンテンツ情報が記述されている場合で説明する。
【０１１３】
コンテンツ表示装置１０４は、図１５においてユーザが指定したコンテンツ情報からブラウザに表示可能な形式のコンテンツを生成し、その生成したコンテンツを図１６のように概要情報表示部１６０２に表示している。このように、コンテンツ情報を表示すると、ユーザは、位置依存コンテンツの概要を把握した後に、実際にその位置依存コンテンツを取得・視聴するか否かを判断することができる。
【０１１４】
一方、図１６の地図表示部１００１には、最新のコンテンツ検索を実行した際の関心領域ＲＯＩ１３０２と、概要情報表示部１６０２に表示中のコンテンツ情報に対応する位置依存コンテンツの位置と、コンテンツ表示装置１０４の現在位置である地点１５０１と、地点１５０１を中心とする関心領域ＲＯＩ１６０１とを表示している。ここで、地図上に地点１５０１を中心とする関心領域ＲＯＩ１６０１を表示しているのは、概要情報が示す位置依存コンテンツとコンテンツ表示装置１０４との地理的位置関係をユーザが容易に確認できるようにするためである。
【０１１５】
例えば、ユーザが概要情報を確認している間にコンテンツ表示装置１０４が移動した結果、概要情報が示す位置依存コンテンツが既にコンテンツ表示装置１０４の遠距離に位置する状況になってしまった時に、地図表示部１００１を参照することによって、その状況をユーザが検知し、必要に応じて現在地周辺のコンテンツを再検索することが可能となる。
【０１１６】
なお、図１６の状態で、ユーザが戻りボタン１００９をクリックすると、図１５の状態に戻り、コンテンツ情報一覧リストから改めてコンテンツ情報を選択することができる。また、図１６の状態で、ユーザが決定ボタン１００８をクリックすると、ＧＵＩ画面１０００は図１７に示す状態に遷移する。
【０１１７】
図１７は、本実施の形態のコンテンツ表示装置１０４におけるＧＵＩ画面の表示例を示す図である。ここでは、ユーザが図１６における決定ボタン１００８をクリックし、ＧＵＩ画面１０００が図１７の状態に遷移したと仮定する。
【０１１８】
図１７のＧＵＩ画面１０００は、ＵＲＬ表示部１７０１とコンテンツ表示部１７０２を有する。ＵＲＬ表示部１７０１には、ユーザが選択したコンテンツ情報に記述されているＵＲＬが表示され、コンテンツ表示部１７０２には、ＵＲＬ表示部１７０１に表示されているＵＲＬに対応する位置依存コンテンツが表示される。また、ＧＵＩ画面１０００は保存ボタン１７０３を有する。
【０１１９】
この保存ボタン１７０３は、コンテンツ表示部１７０２に表示中の位置依存コンテンツのＵＲＬやコンテンツ情報を保存するためのものである。例えば、ユーザが、コンテンツ表示部１７０２に表示中の位置依存コンテンツが有用であり、再度視聴する可能性が高いと判断したら、保存ボタン１７０３をクリックして情報保存を行う。保存したコンテンツ情報は、いつでも図１６の概要情報表示部１６０２に表示可能であり、図１６の決定ボタン１００８をクリックすれば、図１７のように、コンテンツ情報から抽出したＵＲＩが示すコンテンツが表示される。
【０１２０】
次に、コンテンツの検索条件として、関心領域ＲＯＩ１１０１の半径と、コンテンツの検索件数を指定する例を図１８および図１９に示す。図１８および図１９は、本実施の形態のコンテンツ表示装置１０４におけるＧＵＩ画面の表示例を示す図である。関心領域ＲＯＩの半径が設定されない場合は、予め規定されている半径が設定されるものとする。
【０１２１】
図１８において、ＧＵＩ画面１０００は、検索条件設定部１００２を備え、関心領域ＲＯＩ１１０１の半径を２００メートル、コンテンツの検索件数を１０件（以上）、コンテンツのカテゴリを未指定、表示形式をリスト自動更新と設定した状態を示している。ユーザが、この条件設定で決定ボタン１００８をクリックすると、ＧＵＩ画面１０００は図１９の状態に遷移する。
【０１２２】
図１９は、図１８で指定された条件に基づき、リストコンテンツに対して検索処理を実行し、画面上にコンテンツ検索結果を提示した例である。この例では、地図表示部１００１に、２つの関心領域ＲＯＩ１９０２および１９０３が表示されている。点線で示されている関心領域ＲＯＩ１９０２は、ユーザが設定した半径２００メートルの円領域である。この例では、この円領域の中には４つのコンテンツしか含まれていない。
【０１２３】
このように、関心領域ＲＯＩ１９０２内に含まれるコンテンツの個数が、ユーザが指定したコンテンツの検索件数に満たない場合は、コンテンツ表示装置１０４は、ユーザが指定したコンテンツの検索件数に近くなるように円の半径を調整し、関心領域ＲＯＩ１９０３を再設定する。
【０１２４】
逆に、ユーザが指定した関心領域ＲＯＩ（図示せず）の中に、ユーザが指定したコンテンツ検索件数を上回るコンテンツは含まれる場合には、コンテンツ表示装置１０４は、ユーザが指定したコンテンツの検索件数に近くなるように、関心領域ＲＯＩの半径を小さくする。このように、コンテンツ表示装置１０４に、ユーザが指定したコンテンツの検索件数を満たすように、関心領域ＲＯＩの半径を調整する機能を設けると、コンテンツ検索の利便性が向上する。
【０１２５】
このように、コンテンツ検索条件として検索件数が指定された場合に、検索領域のサイズを動的に調整して、指定された検索を満たすコンテンツ検索結果を出力する。これにより、コンテンツ検索時のユーザの負担を軽減することができる。
【０１２６】
図２０及び図２１は、本発明の携帯電話端末における表示例を示す図である。図２０は図１２と同様の状況を示している。地図２００１上には、ユーザ２００２の現在位置を中心とする関心領域ＲＯＩ２００３が示されている。ただし、ユーザが持つ携帯端末の画面２０１１は小さいため、地図２００１は表示されず、関心領域ＲＯＩ２００３内のコンテンツを検索した結果２０１２のみが表示される。
【０１２７】
ユーザ２００２が移動した後の状況を図２１に示す。図２１に示すように、ユーザは現在位置を２１０２に移動しており、同時に関心領域ＲＯＩも２１０３に移動している。このため、携帯端末画面２１１１に表示されているコンテンツとして、あらたにコンビニエンスストアＧ（２１１４）が加えられ、ガソリンスタンドＤ（２１１５）は範囲外の情報として末尾に表示される。この表示方法は、図１３と同様である。このようにして、携帯電話端末でも移動しながら周囲のコンテンツを検索できる。また、図２１の例では、更新されたコンテンツと範囲外になったコンテンツの表示方法を変えることで分かりやすく表示している。これにより、移動に伴いコンテンツが変更しても、更新されたコンテンツ及び更新されていないコンテンツの区別、範囲外になったコンテンツを容易に認識できる。
【０１２８】
また、本実施の形態においては、コンテンツの検索領域を円領域としたが、コンテンツの検索領域は任意の形状でも構わない。例えば、コンテンツ表示装置１０４の地図表示部１００１に表示されている地図と同じ大きさの矩形領域をコンテンツ検索領域とすることも可能であるし、あるいは、コンテンツ表示装置１０４の進行方向に広がった扇型であってもよい。
【０１２９】
また、本実施の形態においては、コンテンツ放送サーバ１０１、もしくは、コンテンツ通信サーバ１０２が、コンテンツ表示装置１０４に対して図７を例とするリストコンテンツを配信し、一般Ｗｅｂサーバ１０３が、コンテンツ表示装置１０４に対して位置依存コンテンツを配信する形態としたが、リストコンテンツの代わりに複数のコンテンツ情報を配信してもよい。コンテンツ表示装置１０４は、リストコンテンツからコンテンツ情報を検索する代わりに、受信した全てのコンテンツ情報を管理し、その管理情報からコンテンツ情報を検索する。これにより、サービス提供者が図５または図６を例とするコンテンツ情報からリストコンテンツを生成して提供しなくても、コンテンツ情報のみで同様の結果を得ることができる。
【０１３０】
また、位置依存コンテンツを、一般Ｗｅｂサーバ１０３が配信する代わりにコンテンツ放送サーバ１０１が配信してもよい。コンテンツ表示装置１０４がコンテンツ放送サーバ１０１から受信した位置依存コンテンツを蓄積部２０６に蓄積し、リストコンテンツまたはコンテンツ情報の検索により得られたコンテンツ情報に基づき、蓄積部２０６からコンテンツを取得する。これにより、コンテンツ情報や位置依存コンテンツをコンテンツ放送サーバ１０１のみから提供される場合においても同様の効果を得ることができる。
【産業上の利用可能性】
【０１３１】
以上のように、本発明にかかるコンテンツ表示装置は、新たに検索されたコンテンツ情報と、既に検索済みのコンテンツ情報とを明確に区別して表示する。これにより、動的にコンテンツリストが更新される状況においても、表示リストの視認性が低下せず、ユーザが所望のコンテンツを容易に発見することができるという効果を有し、地理上の位置と関連づけられるコンテンツに関する情報を表示するコンテンツ表示装置等として有用である。
【図面の簡単な説明】
【０１３２】
【図１】本発明の一実施の形態におけるコンテンツ表示装置を含むコンテンツ適応配信システムのシステム構成図
【図２】本発明の一実施の形態におけるコンテンツ表示装置のブロック図
【図３】本発明の一実施の形態におけるコンテンツ表示装置のコンテンツ分布領域とメッシュエリアと関心領域ＲＯＩとの関係を示す図
【図４】本発明の一実施の形態におけるコンテンツ表示装置のコンテンツ検索結果の表示の一例を示す図
【図５】本発明の一実施の形態におけるコンテンツ表示装置のコンテンツ情報の一例を示す図
【図６】本発明の一実施の形態におけるコンテンツ表示装置のコンテンツ情報の一例を示す図
【図７】本発明の一実施の形態におけるコンテンツ表示装置のリストコンテンツの一例を示す図
【図８】本発明の一実施の形態におけるコンテンツ表示装置のコンテンツ検索処理での出力コンテンツの一例を示す図
【図９】本発明の一実施の形態におけるコンテンツ表示装置のコンテンツ検索処理手順を示す流れ図
【図１０】本発明の一実施の形態におけるコンテンツ表示装置の周辺情報検索画面を示す図
【図１１】本発明の一実施の形態におけるコンテンツ表示装置の周辺情報検索画面を示す図
【図１２】本発明の一実施の形態におけるコンテンツ表示装置の周辺情報検索画面を示す図
【図１３】本発明の一実施の形態におけるコンテンツ表示装置の周辺情報検索画面を示す図
【図１４】本発明の一実施の形態におけるコンテンツ表示装置の周辺情報検索画面を示す図
【図１５】本発明の一実施の形態におけるコンテンツ表示装置の周辺情報検索画面を示す図
【図１６】本発明の一実施の形態におけるコンテンツ表示装置の周辺情報検索画面を示す図
【図１７】本発明の一実施の形態におけるコンテンツ表示装置の周辺情報検索画面を示す図
【図１８】本発明の一実施の形態におけるコンテンツ表示装置の周辺情報検索画面を示す図
【図１９】本発明の一実施の形態におけるコンテンツ表示装置の周辺情報検索画面を示す図
【図２０】本発明の携帯電話端末における表示例を示す第１の図
【図２１】本発明の携帯電話端末における表示例を示す第２の図
【符号の説明】
【０１３３】
１００  コンテンツ適応配信システム
１０１  コンテンツ放送サーバ
１０２、１０２ａ、１０２ｂ  コンテンツ通信サーバ
１０３、１０３ａ、１０３ｂ、１０３ｃ  一般Ｗｅｂサーバ
１０４、１０４ａ、１０４ｂ  コンテンツ表示装置
１０５  通信ネットワーク
１０６  無線基地局
１０７  ＧＰＳ衛星
１０８  固定コンテンツ表示装置
２０１  放送インタフェース部
２０２  通信インタフェース部
２０３  コンテンツ処理部
２０４  コンテンツ表示制御部
２０５  ブラウザ部
２０６  蓄積部
２０７  制御部
２０８  位置情報取得部
２０９  地図処理部
２１０  ＧＵＩ部
【図１】
2006024196.tif 000003
【図２】
2006024196.tif 000004
【図３】
2006024196.tif 000005
【図４】
2006024196.tif 000006
【図５】
2006024196.tif 000007
【図６】
2006024196.tif 000008
【図７】
2006024196.tif 000009
【図８】
2006024196.tif 000010
【図９】
2006024196.tif 000011
【図１０】
2006024196.tif 000012
【図１１】
2006024196.tif 000013
【図１２】
2006024196.tif 000014
【図１３】
2006024196.tif 000015
【図１４】
2006024196.tif 000016
【図１５】
2006024196.tif 000017
【図１６】
2006024196.tif 000018
【図１７】
2006024196.tif 000019
【図１８】
2006024196.tif 000020
【図１９】
2006024196.tif 000021
【図２０】
2006024196.tif 000022
【図２１】
2006024196.tif 000023